(57)【要約】      （修正有）【課題】中大型茶摘採機により帯状に刈り取られた茶葉（若芽）を痛めないように収容器まで搬送する機構を提供する。【解決手段】搬送管１１内の空気の乱れをなくすることを解決手段とした。刈刃で刈られた茶生葉を効率よく空気によって搬送する装置であり、搬送管１１の両面に帯状のうしろ帯状空気吹出口５及びまえ帯状空気吹出口８を設けた。この両帯状空気吹出口５・８から吹出た空気によって吸気圧が帯状に生じる。帯状に刈り取られた茶生葉は両帯状空気吹出口５・８から吹出た空気と、その風圧によって作られた帯状吸気圧によって吸込まれるために少ない力で搬送される。そして収容器１２の中に自動的に集積されることを特徴とする。【選択図】図１
0003194590.tif 000002
【実用新案登録請求の範囲】
【請求項１】
本考案は中大型摘採機の刈刃で摘採した茶葉を搬送するために、搬送管の両面に帯状のうしろ帯状空気吹出口とまえ帯状空気吹出口を設け、その吹出された帯状の空気によって帯状に吸気圧が生じ、帯状に刈り取られた茶生葉を、効率よく搬送管で搬送集葉し収容器に集葉する茶摘採機用茶生葉搬送収容機構である。
【請求項２】
うしろ管状送風管とまえ管状送風管共に小さな長い管を、縦帯状に並べたうしろ多管帯状送風管とうしろ多孔空気吹出口およびまえ多管帯状送風管とまえ多孔空気吹出口をそれぞれに請求項１とおなじ幅に並べることで空気の乱れを無くし搬送方向に空気が吹出すので、更に効率よく搬送集葉する請求項１に記載した茶摘採機用茶生葉搬送収容機構である。
【考案の詳細な説明】
【技術分野】
【０００１】  本考案は中大型茶摘採機により帯状に刈り取られた茶葉（若芽）を連続的に、しかも痛めないように収容器まで搬送し集葉する機構
【背景技術】
【０００２】  若芽を高圧大風量で１．５ｍ前後の高さまで（刈刃部から収容器まで）搬送管内を空気によって搬送する構造のもの。【０００３】  搬送管の中に送風管及び空気吹出口が有る。その送風管に若芽が付着し、搬送障害を起す構造のもの。【０００４】  送風管及び空気吹出口を搬送管壁片面内に収めた構造ものがある。しかし、送風管内の圧縮空気が片面だけの吹出により、渦を巻くなど空気の流れに乱れが生じている。この空気の乱れが露の着いた若芽を搬送管内に付着しやすくしている。若芽が付着すると、ますます助長されて連続的な搬送が出来ない。【０００５】  そのために、非効率的に高圧大風量の送風機が使用されている。しかも、生育中の若い茶葉（芽）であるがために管内の風速に比例して傷が付き品質を悪化させる。
【先行技術文献】
【特許文献】
【０００６】
【特許文献１】特開２００３−２８４４１８
【特許文献２】特開２００９−２７３４３８
【考案の概要】
【考案が解決しようとする課題】
【０００７】  刈刃によって、帯状に刈れた茶生葉を帯状に空気風圧によって圧送しながら集葉搬送する構造であるがために、非常に効率の悪い搬送になっている。【０００８】  また、搬送管内に送風管などの突起物がある構造。この突起物に搬送中の茶生葉が付着し、更に搬送効率を悪化している。【０００９】  これを改良し、空気吹出口を搬送管壁の片面内に収めた構造のものがある。しかし、搬送管内で空気（風）が渦を巻くなど片面からだけの空気吹出しにより空気の流れに乱れが生じている。
【課題を解決するための手段】
【００１０】  本考案は搬送管内の空気の乱れをなくすることを解決手段とした。
【考案の効果】
【００１１】  刈刃よって刈られた茶生葉を痛めない風速・風量で空気によって効率よく（省エネ）搬送する装置である。【００１２】  本考案は搬送管にうしろ帯状空気吹出口とまえ帯状空気吹出口を設けた。この両帯状空気吹出口から吹出された空気によって圧送されるだけでなく吸気圧が連続的に生じる。帯状に刈り取られた茶生葉は搬送管に吸込まれるように搬送管内を移動する。
搬送管内で吸気圧が出来るために、少ない力でスムーズに集葉されながら搬送される。
そして収容器の中に自動的に集葉される。【００１３】  また、搬送管内の茶葉の付着も解消できた。【００１４】  収容器を部分的に網状にした。このことで均一に茶葉を収容器内に集葉できた。【００１５】  この結果、省エネによって機体の軽量化をすることが出来た。機体が軽量化したことで、収穫作業中の走行踏圧も軽減できた。【００１６】  本考案は刈り取られた茶生葉の搬送だけでなく、これらを含め４つの問題点を解消出来た茶摘採機用茶葉搬送収容機構である。
【図面の簡単な説明】
【００１７】
【図１】全体の模式図
【図２】搬送口周辺部の正面図
【図３】Ａ−Ａ線断面部分図
【図４】管状送風口
【考案を実施するための最良の形態】
【００１８】  以下、本考案の実施形態を図１〜図４に基づいて説明する。
【実施例】
【００１９】  茶葉は刈刃１で刈り取られ搬送管１１によって送り込まれる。そして、搬送管１１内を圧縮された空気（低圧圧縮された空気）によって収容器１２まで搬送される。搬送された茶葉は収容器１２に集葉される機構である。
詳細に実施形態を説明する。【００２０】茶樹摘採面に生育中の茶葉（若芽）は、リール２によって寄せられ、刈刃１によって刈り取られる。更に、リール２によって茶葉は、うしろ帯状空気吹出口５まで運ばれる。【００２１】  うしろ送風機３よって作られる圧縮空気（送風）はうしろ送風管４内をへてうしろ帯状空気吹出口５から吹き出される。まえ送風機６よって作られる圧縮空気（送風）はまえ送風管７内をへてまえ帯状圧縮空気吐出口８から吹き出される。【００２２】  茶葉は前記の、うしろ帯状空気吹出口５からの吹出された空気よって搬送管１１内に吹込まれる。更に茶葉は後記の、まえ帯状空気吹出口８からの吹出された空気の風圧と、その二つの両吹出口５，８の風力によって出来る吸引力の相乗効果によりスムーズに空気に乗って搬送管内を連続的に搬送される。【００２３】  そして茶葉は、収容器１２内に集葉される。【００２４】  送風口を図４のごとく多管帯状送風管１６にし、多孔帯状空気吹出口１５にすると空気の乱れがなく更に効率よく茶葉を搬送できる。
【符号の説明】
【００２５】  １    刈刃
２    リール
３    うしろ送風機
４    うしろ送風管
５    うしろ帯状空気吹出口
６    まえ送風機
７    まえ送風管
８    まえ帯状空気吹出口
９    うしろ管状空気室（ａｉｒ  ｖｅｓｓｅｌ）
１０  まえ管状空気室（ａｉｒ  ｖｅｓｓｅｌ）
１１  搬送管
１２  収容器
１３  収容器網部分
１４  リール軌跡
１５  多孔帯状空気吹出口
１６  多管帯状送風管
【産業上の利用可能性】
【００２６】  刈り取られた生育中の茶葉を収容器１２まで搬送管１１内を空気に包まれるように搬送するために、茶葉に傷が出来ないので、色沢が良く葉痛み臭がなく、よって製品が良くなる。そのために高値で取引される。【００２７】  搬送管内に茶葉が付着しないために、収穫ロスが無くスムーズに収穫で来るので作業能率が高い。
【図１】
0003194590.tif 000003
【図２】
0003194590.tif 000004
【図３】
0003194590.tif 000005
【図４】
0003194590.tif 000006
【手続補正書】
【提出日】平成26年9月11日(2014.9.11)
【手続補正１】
【補正対象書類名】明細書
【補正対象項目名】全文
【補正方法】変更
【補正の内容】
【考案の詳細な説明】
【技術分野】
【０００１】  本考案は中大型摘採機により帯状に刈り取られた茶葉（若芽）を連続的にしかも茶葉を痛めないように収容器まで搬送し集葉する機構。
【背景技術】
【０００２】  若い茶葉を高圧大風量で１．５ｍ前後まで（刈刃部から収容器まで）搬送管内を空気によって搬送する構造のもの。【０００３】  搬送管の中に送風管及び空気吹出口がある。その搬送管の茶葉が付着し、搬送障害を起こす構造のもの【０００４】  送風管及び空気吹出口を搬送管壁片面内に収めた構造のものもある。しかし、送風管内の圧縮空気が片面だけの吹出しにより渦を巻くなど、空気の流れに乱れを生じている。この空気の乱れが露の着いた茶葉を搬送管内に付着しやすくしている。茶葉が付着すると、ますます助長されて連続的な搬送が出来ない。【０００５】  そのために、非効率的に高圧大風量の送風機が使用されている。しかも、生育中の若い茶葉であるがために管内の風速に比例して傷が付き茶品質を悪化させる。
【先行技術文献】
【特許文献】
【０００６】
【特許文献１】特開２００３−２８４４１８
【特許文献２】特開２００９−２７３４３８
【考案の概要】
【考案が解決しようとする課題】
【０００７】  刈刃によって、帯状に刈られた茶葉を帯状に吸引しながら集葉搬送する構造であるがために、非常に効率の悪い搬送になっている。【０００８】  また、搬送管内に送風管などの突起物が有る構造。この突起物に搬送中の茶葉が付着し、更に搬送効率を悪化している。【０００９】  これを改良し、空気吹出口を搬送管壁の片面内に収めた構造のものが有る。しかし、搬送管内で空気が収容器方向に流れないで渦を巻くなど片面からだけの空気吹出しにより空気の流れに乱れが生じている。
【課題を解決するための手段】
【００１０】  本考案は搬送管内の空気の乱れを無くすることを解決の手段とした。
【考案の効果】
【００１１】  刈刃よって刈られた茶葉を傷つけない風速・風量で空気によって効率よく搬送する装置である。【００１２】  本考案は搬送管にうしろ帯状空気吹出口とまえ帯状空気吹出口を設けた。この両帯状空気吹出口から圧縮空気を吹き出すことで吸気圧が連続的に生ずる。帯状に刈り取られた茶葉は搬送管内に吸込まれるように搬送管内を移動する。この搬送空気圧が低く少ない力によって収容器まで搬送される。そして収容器の中に自動的に集葉される。【００１３】  また、搬送管壁を速い空気が流れているため、搬送管内の茶葉の付着を解消できた。【００１４】  収容器を部分的に網状にした。このことでほぼ均一に茶葉が集葉できる構造である。【００１５】  この結果、省エネによって機体を軽量化することが出来た。機体が軽量化したことで、収穫作業中の走行踏圧も軽減できた。【００１６】  本考案は刈り取られた茶葉の搬送だけでなく、これらを含め４つの問題点を解消できた摘採機用茶葉搬送収容機構である。
【図面の簡単な説明】
【００１７】
【図１】全体の模式図
【図２】搬送口周辺部の正面図
【図３】Ａ−Ａ線部分切断面図
【図４】うしろ多管帯状送風管とうしろ多孔帯状空気吹出口
【図５】まえ多管帯状送風管とまえ多孔帯状空気吹出口
【考案を実施するための最良の形態】
【００１８】  以下、本考案の実施形態を図１〜図５に基づいて説明する。
【実施例】
【００１９】  茶葉は刈刃１で刈り取られ搬送管１１に送り込まれる。そして、搬送管１１内を圧縮空気（低圧圧縮空気）によって収容器１２まで搬送される。搬送された茶葉は収容器１２に集葉される機構である。
詳細に実施形態を説明する。【００２０】  摘採は、茶株面に生育中の茶葉（若芽）を、リール２によって刈刃１に寄せられ、刈刃１で刈り取られる。更に、リール２によって茶葉は、うしろ帯状空気吹出口５まで運ばれる。【００２１】  うしろ送風機３によって作られる圧縮空気（送風）はうしろ送風管４を経てうしろ帯状空気吹出口５から吹き出される。まえ送風機６によって作られる圧縮空気（送風）はまえ送風管７を経てまえ帯状空気吹出口８から吹き出される。【００２２】茶葉は前記のうしろ帯状空気吹出口５の圧縮空気によって搬送管１１内に吹き込まれる。更に、茶葉は後記のまえ帯状空気吹出口８の圧縮空気の吹出し圧力と、その二つの両空気吹出口５，８の風力によって出来る吸引力の相乗効果によりスムーズに空気に乗って搬送管内を連続的に搬送される。【００２３】  そして茶葉は、収容器１２に集葉される。【００２４】  うしろ・まえ管状空気室９・１０のそれぞれにうしろ多管帯状送風管１５・まえ多管帯状送風管を連ねた構造でその先端のうしろ・まえ多孔帯状空気吹出口１６・１８から吹き出される空気を組み合わせることで、空気の乱れが無く更に効率よく茶葉を搬送できる。
【符号の説明】
【００２５】１      刈刃
２      リール
３      うしろ送風機
４      うしろ送風管
５      うしろ帯状空気吹出口
６      まえ送風機
７      まえ送風管
８      まえ帯状空気吹出口
９      うしろ管状空気室
１０    まえ管状空気室
１１    搬送管
１２    収容器
１３    収容器網部分
１４    リール軌跡
１５    うしろ多管帯状送風管
１６    うしろ多孔帯状空気吹出口
１７    まえ多管帯状送風管
１８    まえ多孔帯状空気吹出口
【産業上の利用可能性】
【００２６】  刈り取られた茶葉を収容器まで搬送管内を空気に包まれるように搬送するために、茶葉に傷が付きにくく、茶の品質が良くなる。そのために高値で取引される。【００２７】  搬送管内に茶葉が付着しないために、収穫ロスが非常に少なくスムーズに収穫作業が出来るので作業能率が高い。
【手続補正２】
【補正対象書類名】実用新案登録請求の範囲
【補正対象項目名】全文
【補正方法】変更
【補正の内容】
【実用新案登録請求の範囲】
【請求項１】
中大型摘採機の刈刃（１）で摘採した茶葉を搬送するために、搬送管（１１）の両面に帯状のうしろ帯状空気吹出口（５）とまえ帯状空気吹出口（８）を設け、その吹出された帯状の空気によって搬送管（１１）内で帯状に吸気圧が生じ、帯状に刈刃（１）によって刈り取られた茶葉を、効率よく搬送管（１１）内で搬送集葉し収容器（１２）に集葉する摘採機用茶葉搬送収容機構。
【請求項２】
うしろ管状空気室（９）にうしろ多管帯状送風管（１５）を並べうしろ多孔帯状空気吹出口（１６）を形成しまえ管状空気室（１０）にまえ多管帯状送風管（１７）を並べまえ多孔帯状空気吹出口（１８）を形成したもので、うしろ多管帯状送風管（１５）とうしろ多孔帯状空気吹出口（１６）及びまえ多管帯状送風管（１７）とまえ多孔帯状空気吹出口（１８）をそれぞれ刈刃幅に並べることで空気の乱れを無くし搬送方向に空気が吹出すので、更に効率よく搬送集葉する請求項１に記載した摘採機用茶葉搬送収容機構。
【手続補正３】
【補正対象書類名】図面
【補正対象項目名】図４
【補正方法】変更
【補正の内容】
【図４】
0003194590.tif 000007
【手続補正４】
【補正対象書類名】図面
【補正対象項目名】図５
【補正方法】追加
【補正の内容】
【図５】
0003194590.tif 000008